(57)【要約】【課題】本発明は、盛土の上に構築される構造物の工期を短縮することを目的とする。【解決手段】構造物の施工方法は、地盤１２上に複数の支柱２０を構築する支柱構築工程と、支柱２０上に構造体３０を構築する構造体構築工程と、構造体構築工程と並行して、構造体３０の下に盛土する盛土工程と、を備える。このように構造体構築工程と盛土工程とを並行して行うことにより、工期を短縮することができる。【選択図】図２
2016084622.tif 000002
【特許請求の範囲】
【請求項１】
地盤上に複数の支柱を構築する支柱構築工程と、
前記支柱上に構造体を構築する構造体構築工程と、
前記構造体構築工程と並行して、前記構造体の下に盛土する盛土工程と、
を備える構造物の施工方法。
【請求項２】
前記盛土工程は、前記構造体構築工程において前記支柱間に前記構造体の一部としての梁を架設した後に行う、
請求項１に記載の構造物の施工方法。
【請求項３】
前記盛土工程は、前記構造体構築工程において前記支柱間に前記構造体の一部としての床を構築した後に行う、
請求項１または請求項２に記載の構造物の施工方法。
【請求項４】
前記支柱構築工程において、前記地盤から上部が突出する杭を構築し、該杭によって前記支柱の少なくとも一部を形成する、
請求項１〜請求項３の何れか１項に記載の構造物の施工方法。
【発明の詳細な説明】
【技術分野】
【０００１】
本発明は、構造物の施工方法に関する。
【背景技術】
【０００２】
津波や液状化対策として、盛土上に構造物を構築することが考えられる。なお、盛土の施工方法としては、例えば、特許文献１，２が知られている。
【先行技術文献】
【特許文献】
【０００３】
【特許文献１】特開平４−２５４６０６号公報
【特許文献２】特開２００８−０３１７２２号公報
【０００４】
上記のような構造物では、地盤上に所定高さの盛土をした後に、当該盛土の上に構造物を構築するため、工期が長期化する虞がある。
【発明の概要】
【発明が解決しようとする課題】
【０００５】
本発明は、上記の事実を考慮し、盛土の上に構築される構造物の工期を短縮することを目的とする。
【課題を解決するための手段】
【０００６】
請求項１に記載の構造物の施工方法は、地盤上に複数の支柱を構築する支柱構築工程と、前記支柱上に構造体を構築する構造体構築工程と、前記構造体構築工程と並行して、前記構造体の下に盛土する盛土工程と、を備える。
【０００７】
請求項１に係る構造物の施工方法によれば、支柱構築工程において、地盤上に複数の支柱を構築する。次に、構造体構築工程において、支柱上に構造体を構築する。この際、構造体構築工程と並行して、構造体の下に盛土する。
【０００８】
このように本発明では、支柱構築工程において、地盤上に複数の支柱を構築することにより、構造体構築工程と盛土工程とを並行して行うことができる。したがって、地盤の上に盛土をしてから当該盛土上に構造体を構築する場合と比較して、工期を短縮することができる。
【０００９】
請求項２に記載の構造物の施工方法は、請求項１に記載の構造物の施工方法において、前記盛土工程は、前記構造体構築工程において前記支柱間に前記構造体の一部としての梁を架設した後に行う。
【００１０】
請求項２に係る構造物の施工方法によれば、構造体構築工程において、支柱間に構造体の一部としての梁を架設する。これにより、支柱及び梁によって架構が形成されるため、支柱がより安定する。その後、盛土工程において、構造体の下に盛土する。
【００１１】
このように本発明では、構造体構築工程において地盤上に架構を形成した後に盛土工程を行うため、盛土に伴う支柱の傾き等が抑制される。
【００１２】
また、床を構築するまでは、平面視にて梁と梁との間から土砂を落として構造体の下に盛土することができる。したがって、盛土の施工性が向上する。
【００１３】
請求項３に記載の構造物の施工方法は、請求項１または請求項２に記載の構造物の施工方法において、前記盛土工程は、前記構造体構築工程において前記支柱間に前記構造体の一部としての床を構築した後に行う。
【００１４】
請求項３に係る構造物の施工方法によれば、構造体構築工程において、支柱間に床を構築する。これにより、支柱がより安定する。その後、盛土工程において、構造体の下に盛土する。
【００１５】
このように本発明では、構造体構築工程において支柱間に床を構築した後に盛土工程を行うため、盛土に伴う支柱の傾き等が抑制される。
【００１６】
さらに、盛土工程に先行して支柱間に床を構築し、これを作業床や資材置き場として使用することにより、支柱上に構築する構造体の施工性が向上する。
【００１７】
請求項４に記載の構造物の施工方法は、請求項１〜請求項３の何れか１項に記載の構造物の施工方法において、前記支柱構築工程において、前記地盤から上部が突出する杭を構築し、該杭によって前記支柱の少なくとも一部を形成する。
【００１８】
請求項４に係る構造物の施工方法によれば、支柱構築工程において、地盤から上部が突出する杭を構築し、この杭によって支柱の少なくとも一部を形成する。
【００１９】
ここで、盛土は、土砂を盛り上げて形成されるため、杭打機等を支持する支持強度が地盤（原地盤）よりも弱くなり易い。そのため、盛土の上から杭を打つ場合には、例えば、盛土を改良して杭打機等の支持強度を確保する必要がある。また、盛土の上から杭を打つ場合には、盛土の高さに応じて掘削、排土量が増加する。
【００２０】
これに対して本発明では、盛土工程に先行して地盤に杭を構築するため、前述した盛土の改良等が不要になる。さらに、杭の構築に伴う掘削、排土量も低減される。したがって、杭の施工性が向上する。
【発明の効果】
【００２１】
以上説明したように、本発明に係る構造物の施工方法によれば、盛土の上に構築される構造物の工期を短縮することができる。
【図面の簡単な説明】
【００２２】
【図１】（Ａ）及び（Ｂ）は、本発明の第１実施形態における支柱構築工程及び構造体構築工程を説明する立面図である。
【図２】（Ａ）及び（Ｂ）は、本発明の第１実施形態における構造体構築工程及び盛土工程を説明する立面図である。
【図３】（Ａ）及び（Ｂ）は、本発明の第１実施形態における構造体構築工程及び基礎構築工程を説明する立面図である。
【図４】（Ａ）〜（Ｃ）は、比較例に係る構造物の施工方法を説明する立面図である。
【図５】（Ａ）〜（Ｃ）は、比較例に係る構造物の施工方法を説明する立面図である。
【図６】本発明の第１実施形態に係る構造物の施工方法と、比較例に係る構造物の施工方法とを比較して示す工程表である。
【図７】（Ａ）及び（Ｂ）は、本発明の第１実施形態の変形例における支柱構築工程及び構造体構築工程を説明する立面図である。
【図８】（Ａ）及び（Ｂ）は、本発明の第１実施形態の変形例における構造体構築工程及び盛土工程を説明する立面図である。
【図９】（Ａ）及び（Ｂ）は、本発明の第１実施形態の変形例における支柱構築工程及び盛土工程を説明する立面図である。
【図１０】（Ａ）及び（Ｂ）は、本発明の第２実施形態における支柱構築工程及び構造体構築工程を説明する立面図である。
【図１１】（Ａ）及び（Ｂ）は、本発明の第２実施形態における構造体構築工程及び盛土工程を説明する立面図である。
【図１２】（Ａ）及び（Ｂ）は、本発明の第２実施形態の変形例における支柱構築工程、構造体構築工程、及び盛土工程を説明する立面図である。
【図１３】本発明の第２実施形態に係る構造物の施工方法によって施工された複数の構造物を示す立面図である。
【発明を実施するための形態】
【００２３】
以下、図面を参照しながら、本発明の実施形態に係る構造物の施工方法について説明する。
【００２４】
[第１実施形態]
先ず、第１実施形態に係る構造物の施工方法について説明する。
【００２５】
第１実施形態では、図３（Ｂ）に示される構造物１０を施工する。この構造物１０は、盛土５０上に構築された基礎６０と、基礎６０上に構築される複数層の構造体３０とを備えている。以下、構造物１０の各施工工程について、具体的に説明する。
【００２６】
はじめに、支柱構築工程について説明する。図１（Ａ）に示されるように、支柱構築工程では、先ず、地盤（原地盤）１２に杭１４を構築する。具体的には、杭打機１６等によって地盤１２に複数の杭１４を打ち込む。この際、杭１４の上部１４Ｕは、地盤１２から上方へ突出させておく。これにより、杭１４の上部１４Ｕによって、後述する支柱２０（図１（Ｂ）参照）の下部が形成される。
【００２７】
なお、杭１４は、例えば、鋼杭やコンクリート杭等とされる。また、杭１４は、既製杭であっても良いし、場所打ち杭であっても良い。さらに、杭１４は、摩擦杭であっても良いし、支持杭であっても良い。
【００２８】
次に、図１（Ｂ）に示されるように、各杭１４の頭部上に仮設の柱１８を立て、杭１４と柱１８とを接合する。これにより、杭１４の上部１４Ｕ及び柱１８によって支柱２０が形成される。この支柱２０の高さＨは、後述する盛土５０の高さ（施工高さ）Ｔ（図２（Ａ）参照）以上とされる（Ｈ≧Ｔ）。
【００２９】
なお、柱１８は、構造体３０（図３（Ｂ）参照）の一階Ｆ１の柱を構成するものであり、後施工によって本設の柱２８とされる。この本設の柱２８は、例えば、鉄骨造や鉄筋コンクリート造、鉄骨鉄筋コンクリート造等とされる。
【００３０】
次に、構造体構築工程について説明する。構造体構築工程では、隣接する支柱２０の柱頭部間に梁２２を架設して架構２４を構築すると共に梁２２の上に床２６（図２（Ｂ）参照）を構築する。
【００３１】
なお、梁２２は、鉄骨造や鉄筋コンクリート造、鉄骨鉄筋コンクリート造等とされる。また、床２６は、鉄筋コンクリート造等とされる。さらに、床２６は、フラットスラブでも良く、この場合には梁２２が省略される。
【００３２】
引き続き、図２（Ａ）に示されるように構造体構築工程において、支柱２０の上に構造体３０の二階Ｆ２を構築する。具体的には、各支柱２０の上に柱３２を立てると共に、これらの柱３２間に梁３４を架設して架構３６を構築する。さらに、図２（Ｂ）に示されるように、梁３４の上に床３８を構築する。
【００３３】
この際、例えば、構造体３０の一階Ｆ１の柱１８の頭部に足場ブラケット４０を取り付け、この足場ブラケット４０の上に足場４２を確保する。これにより、構造体３０の下に後述する盛土５０用の施工スペースを確保しつつ、構造体３０の二階Ｆ２用の足場４２を確保することができる。なお、足場の種類は、適宜変更可能である。
【００３４】
ここで、本実施形態では、構造体構築工程と並行して盛土工程を行う。具体的には、図２（Ｂ）に示されるように、構造体３０の二階Ｆ２の床２６が構築された後に、構造体３０の残りの施工と並行して盛土工程を行う。
【００３５】
盛土工程では、構造体３０の下の地盤１２上に土砂等を締め固めながら盛り上げ、立面視にて略台形状の盛土５０を構築する。盛土５０の高さＴ（地盤１２から基礎６０の下端までの距離）は、杭１４の頭部付近とし、杭１４の上部１４Ｕを盛土５０内に埋設する。また、盛土５０の上面５０Ｕの外周部には、基礎６０を囲む周壁部５２を形成する。なお、盛土５０には、必要に応じて改良材（固化材）を混入しても良い。
【００３６】
なお、ここでいう「構造体構築工程と並行して盛土工程を行う」とは、構造体構築工程と盛土工程とを部分的に並行して行うことを含む概念である。また、本実施形態では、構造体構築工程を開始した後に盛土工程を開始するが、構造体構築工程及び盛土工程は、何れの工程を先に開始しても良い。
【００３７】
引き続き、図３（Ａ）に示されるように基礎構築工程において、構造体３０の上層階ＦＵを順次構築する。この際、構造体構築工程と並行して基礎構築工程を行う。この基礎構築工程では、盛土５０の上面５０Ｕに基礎６０を構築する。基礎６０は、例えば、平面視にて格子状に接合された複数の基礎梁６２によって構成されており、各杭１４に支持されている。なお、基礎６０は、基礎スラブ等によって構成しても良い。
【００３８】
次に、図３（Ｂ）に示されるように、構造体３０の一階Ｆ１の柱１８の周囲にコンクリートを打設して本設の柱２８を構築する。これにより、構造物１０が構築される。なお、前述した支柱構築工程において、予め本設の柱２８を構築しても良い。
【００３９】
次に、第１実施形態の効果について説明する。
【００４０】
先ず、本実施形態の効果をより明確にするために、比較例に係る構造物の施工方法について説明する。
【００４１】
比較例に係る構造物の施工方法では、先ず、図４（Ａ）に示されるように、地盤１２上に盛土１０２を構築する。次に、図４（Ｂ）に示されるように、杭打機１６等によって盛土１０２の上から地盤１２に杭１４を打つ。次に、図４（Ｃ）に示されるように、盛土１０２の上面１０２Ｕを掘り下げて基礎用凹部１０２Ａを形成する。
【００４２】
次に、図５（Ａ）に示されるように、基礎用凹部１０２Ａに、基礎梁１０４等で構成された基礎１０６を構築する。次に、図５（Ｂ）及び図５（Ｃ）に示されるように、基礎１０６上に構造体１１０の一階Ｆ１、二階Ｆ２、及び上層階ＦＵを順次構築する。これにより、構造物１００が構築される。
【００４３】
このように比較例に係る構造物の施工方法では、地盤１２上に所定高さＴ（図４（Ｂ））の盛土１０２をした後に、当該盛土１０２の上に構造物１００を構築するため、工期が長期化する。
【００４４】
これに対して本実施形態では、前述したように支柱構築工程において、地盤１２上に複数の支柱２０を構築する。次に、構造体構築工程において、支柱２０間に構造体３０の一部としての梁２２を架設すると共に梁２２の上に床２６を構築する。
【００４５】
引き続き、構造体構築工程において、支柱２０上に構造体３０の二階Ｆ２及び上層階ＦＵを順次構築する。この際、構造体構築工程と並行して、盛土工程を行う。すなわち、構造体３０の施工と並行して構造体３０の下に盛土５０を施工する。
【００４６】
このように本実施形態では、盛土工程に先行して地盤１２上に複数の支柱２０を構築することにより、構造体構築工程と盛土工程とを並行して行うことができる。したがって、本実施形態では、図６に示される工程表のように、地盤１２上に盛土１０２をしてから当該盛土１０２上に構造体１１０を構築する比較例よりも工期を短縮することができる。因みに、二階Ｆ２の構築工程が早期に開始できる分、全体の工期が短縮できる。
【００４７】
また、本実施形態では、盛土工程に先行して架構２４を構築すると共に、梁２２の上に床２６を構築する。これにより、梁２２及び床２６を施工するための足場等を地盤１２上に仮設することができるため、梁２２及び床２６の施工性が向上する。
【００４８】
さらに、床２６は、構造体３０の二階Ｆ２及び上層階ＦＵを施工する際に、作業床や資材置き場として兼ねることができる。したがって、構造体３０の二階Ｆ２及び上層階ＦＵの施工性が向上する。
【００４９】
しかも、盛土工程に先行して架構２４を構築することにより、支柱２０がより安定（構造体３０としての剛性が向上）する。したがって、盛土５０に伴う支柱２０の傾き等が抑制される。さらに、本実施形態では、盛土工程に先行して支柱２０間に床２６も構築する。これにより、支柱２０がさらに安定するため、盛土５０に伴う支柱２０の傾き等がさらに抑制される。
【００５０】
また、本実施形態では、支柱構築工程において、地盤１２から上部１４Ｕが突出する杭１４を構築し、この杭１４によって支柱２０の少なくとも一部を形成する。
【００５１】
ここで、盛土５０は、土砂を盛り上げて形成されるため、杭打機１６等を支持する支持強度が弱くなり易い。そのため、例えば、図４（Ｂ）に示される比較例のように、盛土１０２の上から杭１４を打つ場合には、例えば、盛土１０２を改良して杭打機等の支持強度を確保する必要がある。また、盛土１０２の上から杭を打つ場合には、盛土１０２の高さＴに応じて掘削、排土量が増加する。つまり、一度、盛土した土砂を排土することになる。
【００５２】
これに対して本実施形態では、盛土工程に先行して地盤１２に杭１４を構築するため、前述した盛土５０の改良等が不要になる。さらに、杭１４の構築に伴う掘削、排土量も低減される。したがって、杭１４の施工性が向上する。
【００５３】
さらに、比較例では、盛土１０２の上面１０２Ｕに杭打機１６を設置するため、一旦、盛土１０２の上面１０２Ｕを地均しする必要がある。その後、図４（Ｃ）に示されるように、盛土１０２の上面１０２Ｕを掘り下げて基礎用凹部１０２Ａを形成する。したがって、さらに盛土１０２の掘削、排土量が増加する。
【００５４】
これに対して本実施形態では、地盤１２に杭１４を打った後に、盛土５０を施工する。つまり、本実施形態では、盛土５０の上面５０Ｕに杭打機１６を設置しないため、盛土５０の上面５０Ｕを杭打機１６用に地均しする必要がないばかりか、盛土工程にて盛土５０の上面５０Ｕの外周部に、既に基礎６０を囲む周壁部５２が形成されている。したがって、前述した比較例のように、盛土５０の上面５０Ｕを掘り下げて基礎用凹部を形成する必要がないため、掘削、排土量が低減される。
【００５５】
[変形例]
次に、上記第１実施形態の変形例について説明する。
【００５６】
図７（Ａ）に示されるように、隣接する杭１４は、補強梁５６によって補強しても良い。
【００５７】
具体的には、先ず、支柱構築工程において、隣接する杭１４に補強梁５６を架設する。これにより、杭１４の曲げ剛性が高められる。この状態で、図７（Ｂ）に示されるように、各杭１４の頭部の上に仮設の柱１８を立てて、支柱２０を形成する。
【００５８】
次に、図８（Ａ）に示されるように、構造体構築工程において、支柱２０上に構造体３０の二階Ｆ２を構築すると共に、これに並行する盛土工程において構造体３０の下に盛土５０する。この際、補強梁５６は、盛土５０内に埋設される。
【００５９】
次に、図８（Ｂ）に示されるように、構造体構築工程において、構造体３０の上層階ＦＵを順次構築する。さらに、この構造体構築工程と並行する基礎構築工程において、盛土５０の上面に基礎６０を構築する。その後、構造体３０の一階Ｆ１の本設の柱２８を構築する。
【００６０】
このように支柱構築工程において、隣接する杭１４を補強梁５６で連結することにより、支柱２０の曲げ剛性が高められる。したがって、支柱２０がより安定するため、盛土５０に伴う支柱２０の傾き等を抑制することができる。
【００６１】
また、支柱２０の曲げ剛性は、杭１４の杭径を大きくすることにより高めることも可能であるが、杭径を大きくすると、掘削量が増加する可能性がある。これに対して本実施形態では、隣接する杭１４を補強梁５６で連結するため、掘削量の増加を抑制することができる。
【００６２】
なお、補強梁５６は、基礎６０を構築するまでの仮設部材（支柱２０の曲げ剛性を維持できる強度を有する部材）としても良いし、本設部材としても良い。
【００６３】
次に、上記第１実施形態では、構造体構築工程において、隣接する支柱２０間に梁２２及び床２６を構築した後に盛土工程を開始した例を示したが、これに限らない。盛土工程は、隣接する支柱２０間に梁２２及び床２６を構築する前に開始しても良い。
【００６４】
具体的には、図９（Ａ）に示されるように、支柱構築工程において支柱２０を構築した後に、盛土工程において地盤１２上に盛土５０の一部を構築する。次に、図９（Ｂ）に示されるように、構造体構築工程において、隣接する支柱２０間に梁２２を架設すると共に、これに並行する盛土工程において盛土５０の残りの部分を構築する。
【００６５】
このように隣接する支柱２０間に梁２２及び床２６を構築する前であっても盛土工程を開始することができる。この場合も、上記第１実施形態と同様に工期を短縮することができる。
【００６６】
なお、構造体構築工程において、隣接する支柱２０間に梁２２を架設した後であって床２６を構築する前に、盛土工程を開始することも可能である。この場合は、支柱２０と梁２２とによって架構２４が構築されるため、支柱２０がより安定する。したがって、盛土５０に伴う支柱２０の傾き等を抑制することができる。
【００６７】
また、梁２２の上に床２６を構築するまでは、平面視にて梁２２と梁２２との間から土砂を落として地盤１２上に盛土５０を構築することができる。したがって、盛土５０の施工性が向上する。
【００６８】
このように構造体構築工程において、隣接する支柱２０間に梁２２を架設した後であって床２６を構築する前に、盛土工程を行う場合には、支柱２０の傾き等を抑制しつつ、盛土５０の施工性を向上させることができる。なお、例えば、床２６の一部を施工せずに、すなわち床２６の一部に開口を形成しておき、この開口から土砂を落として地盤１２上に盛土５０を構築することも可能である。
【００６９】
次に、盛土５０に埋設された杭１４の上部１４Ｕには、盛土５０の圧密沈下等に伴って下向きの摩擦力（ネガティブフリクション）が発生する。これと同様に、地盤１２に埋設された杭１４の下部には、地盤１２の圧密沈下等に伴って下向きの摩擦力が発生する。この摩擦力が杭１４の支持性能に悪影響を与える場合には、例えば、杭１４にフリクションカットを施し、杭１４と盛土５０や地盤１２との上下方向の縁を切ることが望ましい。
【００７０】
フリクションカットとしては、例えば、杭１４の外周面を被覆するシート状の被覆材や、杭１４の外周面に塗布される塗布剤等が挙げられる。なお、フリクションカットは、杭１４の上部１４Ｕ及び下部１４Ｌの少なくとも一方に設けることができる。ただし、杭１４が摩擦杭の場合は、杭１４の上部１４Ｕにのみフリクションカットを施すことが望ましい。
【００７１】
次に、上記第１実施形態では、杭１４の上部１４Ｕ及び柱１８によって支柱２０を形成した例を示したが、杭１４のみによって支柱２０を形成しても良い。すなわち、杭１４によって、支柱２０の少なくとも一部を形成しても良い。
【００７２】
[第２実施形態]
次に、第２実施形態に係る構造物の施工方法について説明する。なお、第１実施形態と同様の施工方法については説明を適宜省略する。
【００７３】
上記第１実施形態では、基礎構造が杭基礎とされた構造物１０を施工する例を示したが、第２実施形態では、図１１（Ｂ）に示されるように、基礎構造が直接基礎とされた構造物７０を施工する。以下、構造物７０の各施工工程について、具体的に説明する。
【００７４】
先ず、支柱構築工程について説明する。支柱構築工程では、図１０（Ａ）に示されるように、地盤１２の複数の支柱７２を構築する。この支柱７２は、例えば、図示しない捨コンやフーチングの上に立てられる。
【００７５】
なお、本実施形態では、支柱７２の上部が後述する構造体８０（図１１（Ｂ）参照）の一階Ｆ１の本設柱とされるが、支柱構築工程において仮設の支柱を構築しておき、後施工において一階Ｆ１の本設柱を構築しても良い。
【００７６】
次に、構造体構築工程について説明する。構造体構築工程では、図１０（Ｂ）に示されるように、隣接する支柱７２の柱頭部間に梁７４を架設して架構７６を構築すると共に梁７４の上に図示しない床を構築する。
【００７７】
引き続き、図１１（Ａ）に示されるように構造体構築工程において、支柱７２の上に構造体８０の二階Ｆ２を構築する。この際、二階Ｆ２の構築と並行して盛土工程を行う。すなわち、構造体８０の下の地盤１２上に土砂等を締め固めながら盛り上げ、立面視にて略台形状の盛土５０を構築する。
【００７８】
引き続き、図１１（Ｂ）に示されるように構造体構築工程において、構造体８０の上層階ＦＵを構築する。この際、上層階ＦＵの構築と並行して基礎構築工程を行う。すなわち、盛土５０の上面５０Ｕに基礎７８を構築する。基礎７８は、直接基礎とされており、例えば、鉄筋コンクリート造の基礎スラブ等で形成される。なお、基礎７８は、第１実施形態と同様に、基礎梁等によって形成しても良い。
【００７９】
次に、第２実施形態の効果について説明する。
【００８０】
本実施形態では、支柱構築工程において、地盤１２上に複数の支柱７２を構築する。次に、構造体構築工程において、支柱７２間に構造体８０の一部としての梁７４を架設すると共に梁７４の上に図示しない床を構築する。
【００８１】
引き続き、図１１（Ａ）に示されるように、構造体構築工程において、支柱７２上に構造体８０の二階Ｆ２を構築する。この際、構造体構築工程と並行して盛土工程を行う。すなわち、構造体８０の上層階ＦＵの構築と並行して構造体８０の下に盛土５０を構築する。
【００８２】
このように本実施形態では、盛土工程に先行して地盤１２上に複数の支柱７２を構築することにより、構造体構築工程と盛土工程とを並行して行うことができる。したがって、上記第１実施形態と同様に、工期を短縮することができる。
【００８３】
また、本実施形態では、基礎７８が直接基礎とされている。このように基礎７８を簡素化することにより、さらに工期を短縮することができる。
【００８４】
[変形例]
次に、上記第２実施形態の変形例について説明する。
【００８５】
上記第２実施形態では、支柱構築工程において、構造体８０の一階Ｆ１の柱となる支柱７２を構築した例を示したが、これに限らない。支柱構築工程では、盛土５０の高さＴ以上の支柱７２を構築すれば良い。
【００８６】
具体的には、図１２（Ａ）に示されるように、支柱構築工程において、盛土５０の高さＴ（図１２（Ｂ）参照）と略同じ高さＨの支柱７２を構築する。そして、構造体構築工程において、支柱７２間に基礎梁となる梁９０を架設して架構９２を構築する。
【００８７】
引き続き、図１２（Ｂ）に示されるように構造体構築工程において、支柱７２の上に構造体８０の一階Ｆ１を構築する。また、一階Ｆ１の構築と並行して、盛土工程を行う。すなわち、梁９０の下に土砂を盛り上げて所定高さＴの盛土５０を構築する。これにより、盛土５０内に支柱７２が埋設される。
【００８８】
このように支柱構築工程において、盛土５０の高さＴ以上の支柱７２を地盤１２に構築することにより、構造体構築工程と盛土工程とを並行して行うことができる。したがって、工期を短縮することができる。第１実施形態においても、盛土５０の高さＴ以上の支柱２０を地盤１２に構築することにより、構造体構築工程と盛土工程とを並行して行うことができる。
【００８９】
なお、支柱７２は、基礎７８または梁９０を構築するまでの仮設部材（少なくとも一階Ｆ１までの構築が可能な程度の強度を有する部材）としても良いし、本設部材としても良い。また、支柱７２には、前述したフリクションカットを施すことも可能である。
【００９０】
また、上記第２実施形態では、１つの構造物７０を施工した例を示したが、複数の構造物７０を施工する場合には、例えば、図１３に示されるように、構造物７０毎に盛土５０を構築し、最終的にこれらの盛土５０間の溝部９４を埋めて１つの盛土９６を構築しても良い。第１実施形態についても複数の構造物１０を施工する場合には、構造物１０毎に盛土５０を構築し、最終的にこれらの盛土５０間の溝部を埋めて１つの盛土を構築しても良い。
【００９１】
以上、本発明の第１，第２実施形態について説明したが、本発明はこうした第１，第２実施形態に限定されるものでなく、第１，第２実施形態及び各種の変形例を適宜組み合わせて用いても良いし、本発明の要旨を逸脱しない範囲において、種々なる態様で実施し得ることは勿論である。
【符号の説明】
【００９２】
１０    構造物
１２    地盤
１４    杭
１４Ｕ  上部（支柱の一部）
１８    柱（支柱の一部）
２０    支柱
２２    梁
２６    床
３０    構造体
５０    盛土
７０    構造物
７２    支柱
７４    梁
８０    構造体
９０    梁
【図１】
2016084622.tif 000003
【図２】
2016084622.tif 000004
【図３】
2016084622.tif 000005
【図４】
2016084622.tif 000006
【図５】
2016084622.tif 000007
【図６】
2016084622.tif 000008
【図７】
2016084622.tif 000009
【図８】
2016084622.tif 000010
【図９】
2016084622.tif 000011
【図１０】
2016084622.tif 000012
【図１１】
2016084622.tif 000013
【図１２】
2016084622.tif 000014
【図１３】
2016084622.tif 000015